(57)【特許請求の範囲】
【請求項１】
下衣に対する連結具を有するテープ状基材を裏側に固定した上衣であって、
上衣を構成する布同士が当該上衣の裏側にて上下方向に縫い合わされた縫い代部分に、前記テープ状基材の長辺の一方のみを直接縫い付け固定することで、上衣の外側から縫い目が見えてしまうことなく、当該テープ状基材を上衣に固定したことを特徴とする上衣。
【請求項２】
前記テープ状基材の短辺側の少なくとも一方が、前記連結具と干渉しない裏側へ折り曲げられ、前記縫い代部分に縫い付けられていることを特徴とする請求項１に記載の上衣。
【請求項３】
前記縫い代部分の縫い合わせは、上下方向に伸縮できる縫い方によるものであり、その後に前記テープ状基材を当該縫い代部分に縫い付けていることを特徴とする請求項１又は２に記載の上衣。
【請求項４】
前記テープ状基材の下端部は、上衣の裾を折り返した部分の内側に配置された後に水平方向に縫い付けられていることを特徴とする請求項１〜３の何れか一項に記載の上衣。
【請求項５】
前記上衣を構成する布は、少なくとも上下方向に伸縮可能なストレッチ素材から構成されているものであることを特徴とする請求項１〜４の何れか一項に記載の上衣。
【請求項６】
前記連結具は、前記テープ状基材の長辺方向に並んで固定された２以上のスナップボタンからなるものであることを特徴とする請求項１〜５の何れか一項に記載の上衣。
【請求項７】
前記上衣は、裏地を有していないものであることを特徴とする請求項１〜６の何れか一項に記載の上衣。
【請求項８】
下衣に対する連結具を有するテープ状基材を裏側に固定した上衣であって、
上衣を構成する布同士が当該上衣の裏側にて左右方向に縫い合わされた縫い代部分に、前記テープ状基材の長辺の一方のみを直接縫い付け固定することで、上衣の外側から縫い目が見えてしまうことなく、当該テープ状基材を上衣に固定したことを特徴とする上衣。
【発明の詳細な説明】
【技術分野】
【０００１】
本発明は、下衣と連結することができる上衣に関するものである。
【背景技術】
【０００２】
従来、上衣と下衣の位置がずれないようにしたり、上衣の裾が捲れ上がることを防ぐために、下衣と連結するための連結具を備えた上衣が提案されている（特許文献１〜３）。
【０００３】
特許文献１に記載の上衣は、下衣と連結するための連結具を備えたテープ状基材を、補助布帛を介して上衣の内側に取り付けている。
これは、連結具を備えたテープ状基材を取り付けるための縫い目が、上衣の外側から見えてしまうことを防ぐための構成である。
【０００４】
特許文献２に記載されている上衣は、その左右身頃の内側下部に対し、スナップ釦を備えたテープ状の基材を直接縫い付けているものと考えられる。
特許文献３に記載の上衣は、表地の内側において、着用者の腰部周辺に配置され上縁部のみが上衣と固定された帯状のインナー部を開示している。
【０００５】
特許文献４は、ズボン裾の略下端の縫い代部分に固定された面ファスナー、ボタン等の係合具を開示している。
【先行技術文献】
【特許文献】
【０００６】
【特許文献１】特開２０１４−４０６９５号公報
【特許文献２】特開２００６−８９９０１号公報
【特許文献３】特許第３８０３７０３号公報
【特許文献４】特許第３４７４４７１号公報
【発明の概要】
【発明が解決しようとする課題】
【０００７】
上記特許文献１に記載されている上衣においては、連結具を備えたテープ状基材を取り付けるための縫い目が上衣の外側から見えてしまうということを解消できるが、補助布帛を用いるため、補助布帛にテープ状基材を縫い付ける手間がかかるという課題や、製造コストが増えるという課題がある。
【０００８】
上記特許文献２に記載されている上衣においても、スナップ釦を備えたテープ状の基材を縫い付けるための縫い目が上衣の外側から見えてしまうという課題がある。
上記特許文献３に記載の上衣においては、上衣の形態に対する変更が著しいものとなるというデザイン上及び機能上の課題や、衣服が重くなってしまったり、衣服としての使い勝手が悪くなってしまうという課題がある。
【０００９】
上記特許文献４に記載の発明は、上衣と下衣とを連結するための発明ではなく、本願発明とはその構成、作用、効果の点で全く異なるものであり、かつ、上衣と下衣とを連結するための構成に適用できるものではない。
【００１０】
そこで、本発明の目的は、上記従来の課題を解決し、補助布帛を用いることなく、しかも、縫い目が上衣の外側から見えてしまうことなく、連結具を備えたテープ状基材を簡単に、しかも迅速かつ確実に取り付けることができる上衣を提供することにある。
また、本発明の他の目的は、連結具を備えたテープ状基材の上衣に縫い付けられていない端部が、上衣を着ている人の肌に直接触れることで、違和感を生じてしまうことがあるという課題を解決できる上衣を提供することにある。
【００１１】
本発明の他の目的は、上下方向に伸縮できる上衣の特性を害することないように、上衣を構成する布同士を縫い合わせ、かつ前記テープ状基材を当該縫い代部分に固定することができる上衣を提供することにある。
本発明の他の目的は、前記テープ状基材の下端部を収まり良く処理し、かつ、上衣にテープ状基材を強固に固定できる上衣を提供することにある。
【００１２】
また、本発明の他の目的は、少なくとも上下方向に伸縮可能な上衣を提供することにある。
本発明の他の目的は、下衣との連結が容易であり、また、着る人の丈に応じて下衣との連結位置を調節できる上衣を提供することにある。
本発明の他の目的は、裏地を有していない上衣において、上記の目的を達成することにある。
【課題を解決するための手段】
【００１３】
本発明は、「下衣に対する連結具を有するテープ状基材を裏側に固定した上衣であって、上衣を構成する布同士が当該上衣の裏側にて上下方向に縫い合わされた縫い代部分に、前記テープ状基材の長辺の一方のみを直接縫い付け固定することで、上衣の外側から縫い目が見えてしまうことなく、当該テープ状基材を上衣に固定した上衣。」を最も主要な特徴とするものである。
本発明の上衣において、前記テープ状基材の短辺側の少なくとも一方は、前記連結具と干渉しない裏側へ折り曲げられ、前記縫い代部分に縫い付けられているものであってもよい。
【００１４】
本発明の上衣において、前記縫い代部分の縫い合わせは、上下方向に伸縮できる縫い方によるものであり、その後に前記テープ状基材を当該縫い代部分に縫い付けているものであってもよい。
本発明の上衣において、前記テープ状基材の下端部は、上衣の裾を折り返した部分の内側に配置された後に水平方向に縫い付けられているものであってもよい。
本発明の上衣において、前記上衣を構成する布は、少なくとも上下方向に伸縮可能なストレッチ素材から構成されているものであってもよい。
【００１５】
本発明の上衣において、前記連結具は、前記テープ状基材の長辺方向に並んで固定された２以上のスナップボタンからなるものであるとよい。
本発明の上衣は、裏地を有していないものであってもよい。
また、本発明の上衣は、下衣に対する連結具を有するテープ状基材を裏側に固定した上衣であって、上衣を構成する布同士が当該上衣の裏側にて左右方向に縫い合わされた縫い代部分に、前記テープ状基材の長辺の一方のみを直接縫い付け固定することで、上衣の外側から縫い目が見えてしまうことなく、当該テープ状基材を上衣に固定したものであってもよい。
【発明の効果】
【００１６】
上記のように構成した本発明の上衣においては、補助布帛を用いることなく、しかも、縫い目が上衣の外側から見えてしまうことなく、上衣の裏側にて上下方向又は左右方向に縫い合わされ形態安定性及び強度に優れた縫い代部分において、連結具を備えたテープ状基材を迅速に、しかも簡単かつ確実に取り付けることができ、下衣との連結状態における一体性及び安定性に優れるとともに、製造工程の簡略化、デザイン性、製造コストなどの点で優れたものとすることができる。
【００１７】
本発明の上衣において、前記連結具を備えたテープ状基材の短辺側を折り曲げて縫い代部分に縫い付けるようにした場合には、テープ状基材の端部が上衣を着ている人の肌に直接触れることで違和感を生じてしまうことを抑制することができる。
【００１８】
本発明の上衣において、縫い代部分の縫い合わせを上下方向に伸縮できる縫い方によって行い、その後に前記テープ状基材を当該縫い代部分に縫い付けるようにすることで、上下方向に伸縮できる上衣の特性を害することなく、上衣を構成する布同士を縫い合わせ、かつ前記テープ状基材を当該縫い代部分に強固に固定することができる。
【００１９】
本発明の上衣において、前記テープ状基材の下端部を、上衣の裾を折り返した部分の内側に配置した後に、水平方向に縫い付けるようにすることで、前記テープ状基材の下端部を収まり良く処理し、かつ、上衣に強固に固定することができる。
本発明の上衣において、前記上衣を構成する布が、少なくとも上下方向に伸縮可能なストレッチ素材から構成されているものとすることで、少なくとも上下方向に伸縮可能な上衣においても、前記連結具を備えたテープ状基材を、上衣の縫い代部分において、しっかりと安定させて固定することができる。
【００２０】
本発明の上衣において、前記連結具が、前記テープ状基材の長辺方向に並んで固定された２以上のスナップボタンからなるものとすることで、下衣との連結が容易かつ確実であり、また、着る人の丈に応じて下衣との連結位置を簡単に調節できる上衣を提供することができる。
さらに、本発明の上衣においては、裏地を有していないものであっても、補助布帛を用いることなく、しかも、縫い目が上衣の外側から見えてしまうことなく、連結具を備えたテープ状基材を簡単かつ確実に取り付けることができ、上記のような効果を得ることができる。
【図面の簡単な説明】
【００２１】
【図１】図１は本発明を具体化した一実施形態の上衣と下衣を示す正面図及び上衣の内側に固定されたテープ状基材の正面図である。
【図２】図２は本発明の上衣と下衣を示す側面図である。
【図３】図３は本発明の上衣の内側に固定したテープ状基材を示す拡大正面図である。
【図４】図４は本発明の上衣を構成する布同士を縫製し、テープ状基材を固定する手順を説明するための正面図であって、上衣の内側を示す図である。
【図５】図５は本発明を具体化した他の実施形態の上衣の内側に固定したテープ状基材を示す拡大正面図である。
【発明を実施するための形態】
【００２２】
本発明の上衣は、「下衣に対する連結具を有するテープ状基材を裏側（内側）に固定した上衣であって、上衣の裏側にて上衣を構成する布同士を縫い合わせる縫い代部分に、前記テープ状基材の長辺の一方のみを直接縫い付け固定することで、上衣の外側から縫い目が見えてしまうことなく、当該テープ状基材を上衣に固定したもの」であって、以下において説明する実施形態などにより好適に具体化することができる。
【００２３】
以下、本発明を水着において具体化した上衣の一実施形態について説明する。
図１〜図３に示すように、本発明の一実施形態の上衣１０は、後身頃を構成する布１１の左右両側に、それぞれ前身頃を構成する布１２，１３が、上衣１０の裏側にて縫い合わされている。
これらの布１１，１２，１３は、ポリエステル繊維を８５％程度、ポリウレタン繊維を１５％程度含み、上下方向及び左右方向に伸縮するストレッチ素材から構成されており、これらの布１１，１２，１３同士の縫い代における上下方向の縫い合わせは、上下方向に伸縮できる縫い方である２本針オーバーロック縫いＳ１によって行われている。
上記のとおり構成されたこの実施形態の上衣１０は、前記布１１，１２，１３同士の上下方向の縫い代部分において、裏地を有していない。
【００２４】
また、前記上衣１０において、前記布１１，１２，１３同士を縫い合わせている上下方向に延びる左右２ヶ所の縫い代、即ち、２本針オーバーロック縫いＳ１が施された部分には、２個の雄型の連結具１ａ，１ｂを有するテープ状基材１の長辺の一方が本縫いＳ３にて縫い付け固定されており、当該連結具１ａ，１ｂにて、下衣２０の表側（外側）に２ヶ所縫い付け固定したテープ状基材２の２個の雌型の連結具２ａ，２ｂと着脱可能に連結できるようになっている。
即ち、上記実施形態の上衣１０及び下衣２０において、前記連結具１ａ，１ｂ，２ａ，２ｂは、前記テープ状基材１，２の長辺方向に並んで固定された２個のスナップボタンからなるものであり、上衣１０及び下衣２０を連結する高さを変更可能となっている。
【００２５】
なお、前記上衣１０に固定された前記テープ状基材１の上側の短辺は、前記連結具１ａと干渉しない裏側へ折り曲げられ、テープ状基材１の長辺の一方とともに前記縫い代部分に縫い付けられている。
従って、テープ状基材１の上端部が上衣を着ている人の肌に直接触れることで違和感を生じることを抑制することができる。
【００２６】
さらに、前記上衣１０において、前記テープ状基材１の下端部は、前記上衣１０の裾を折り返した部分の内側に配置された後に左右方向（水平方向）に平２本針縫いＳ４にて縫い付けられている。
従って、前記テープ状基材１の下端部を収まり良く処理し、かつ、テープ状基材１を上衣１０に対して強固に固定することができる。
なお、前記テープ状基材１，２は、ポリエステル製の細長い布片からなり、伸縮性をほとんど有していないものなどを適宜選択して使用できる。
【００２７】
上記のように構成した本発明の上衣１０においては、補助布帛を用いることなく、しかも、縫い目が上衣１０の外側から見えてしまうことなく、形態安定性及び強度に優れた縫い代部分において、連結具１ａ，１ｂを備えたテープ状基材１を迅速に、しかも簡単かつ確実に取り付けることができ、下衣２０との連結状態における一体性及び安定性に優れるとともに、製造工程の簡略化、デザイン性、製造コストなどの点で優れたものとすることができる。
【００２８】
次に、上記にて説明した上衣１０を縫製にて製造する方法について説明する。
まず、図４に示すように、上衣１０の後身頃を構成する布１１の両側に、それぞれ前身頃を構成する布１２，１３を、上下方向（縫う方向）に伸縮できる縫い方である２本針オーバーロック縫いＳ１にて縫い合わせる。
従って、この実施形態の上衣１０においては、上衣１０の丈方向の伸縮性を害することがない。
【００２９】
次いで、前記上衣１０の裾の部分を左右方向（縫う方向）に伸縮できる縫い方である２本針オーバーロック縫いＳ２にて縫い付け、裾のほつれ止めを施す。
一方、前記上衣１０の２本針オーバーロック縫いＳ１にて縫い合わせた上下方向の縫い代部分に、テープ状基材１の長辺部分（辺縁部）を本縫いＳ３にて縫い付け、上衣１０の裾付近にてテープ状基材１を強固に固定する。
この際に、前記テープ状基材１の上側の短辺を、前記連結具１ａと干渉しない裏側へ斜めに折り曲げ、テープ状基材１の長辺の一方とともに前記縫い代部分に縫い付ける。
【００３０】
なお、上記裾のほつれ止めのための２本針オーバーロック縫いＳ２を行う作業と、テープ状基材１を固定する本縫いＳ３を行う作業は、どちらを先に行うことも可能である。
次に、前記上衣１０の裾を裏側へ折り返した部分の内側に、前記テープ状基材１の下端部が配置された状態で、裾の下端部を縫う方向に伸縮できる縫い方である平２本針縫いＳ４にて水平方向に縫い付ける。
【００３１】
上記のように、テープ状基材１を備えていない通常の上衣を縫製する作業を大きく変更することなく、簡単な縫製作業を加えるだけで、連結具１ａ，１ｂを有するテープ状基材１を上衣１０の裏側に迅速かつ確実に固定することが可能となる。
【００３２】
なお、図２に示すように、下衣２０の上部において、左右の腰と対応する部分には、前記上衣１０に固定したテープ状基材１の連結具１ａ，１ｂと対応する連結具２ａ，２ｂを備えたテープ状基材２を上下方向に向けて縫い付け固定する。
【００３３】
上記構成により、上衣１０の連結具１ａ，１ｂと、下衣２０の連結具２ａ，２ｂとを連結することで、上衣１０と下衣２０の位置がずれないようにしたり、上衣１０の裾が捲れ上がることを防ぐことができる。
また、テープ状基材１の下側の連結具１ｂと、テープ状基材２の上側の連結具２ａとを連結すれば、上衣１０と下衣２０を連結する位置を高くすることができる。
【００３４】
本発明は、上記実施形態に限定されるものではなく、前記上衣１０の裾を裏側へ折り返した部分の内側に、前記テープ状基材１の下端部を配置しないで、裾の下端部を水平方向に縫い付けて実施してもよい。
その場合、図５に示すように、前記テープ状基材１の下側の短辺についても、前記連結具１ｂと干渉しない裏側へ折り曲げ、テープ状基材１の長辺の一方とともに布１１と布１２又は布１３との縫い代部分に縫い付けるとよい。
【００３５】
上記実施形態の上衣１０においては、前記テープ状基材１の上側の短辺を前記連結具１ａと干渉しない裏側へ折り曲げて、テープ状基材１の長辺の一方と同時に布１１と布１２又は布１３との縫い代部分に縫い付けたが、テープ状基材１の長辺の一方を布１１と布１２又は布１３との縫い代部分に縫い付けた後に、前記テープ状基材１の上側の短辺を前記連結具１ａと干渉しない裏側へ折り曲げ、布１１と布１２又は布１３との縫い代部分に縫い付けて実施してもよい。
或いは、予めテープ状基材１の短辺を前記連結具１ａと干渉しない裏側へ斜めに折り曲げた状態で縫い付けたり接着したものを、布１１，１２，１３同士の縫い代部分に縫い付けてもよい。
【００３６】
なお、上記実施形態の上衣１０においては、前記テープ状基材１の上側の短辺を前記連結具１ａと干渉しない裏側へ折り曲げて、テープ状基材１の長辺の一方とともに布１１と布１２又は布１３との縫い代部分に縫い付けたが、前記テープ状基材１の上側の短辺を前記連結具１ａと干渉しない裏側へ折り曲げないで実施してもよい。
【００３７】
なお、本発明の上衣において、上記実施形態におけるスナップボタンからなる連結具に代えて、テープ状基材の片面に面ファスナーからなる連結具を有するもの、又は、ボタンとボタン穴からなる連結具を有するものなどを用いて実施してもよい。
【００３８】
本発明の上衣において、布１１，１２，１３同士を縫い合わせている、上下方向に伸縮できる縫い方としては、上記実施形態における２本針オーバーロック縫いに代えて、他のオーバーロック縫い又は環縫いを用いてもよい。
また、本発明の上衣において、連結具を有するテープ状基材を縫い付けて固定する縫い代としては、上記実施形態における上下方向に代えて、上衣の左右方向の縫い代を縫い合わせている部分に、連結具を有するテープ状基材を縫い付けて実施してもよい。
さらに、上衣１０及び下衣２０の右側又は左側にのみテープ状基材１，２を固定して実施してもよく、テープ状基材１を上衣１０に固定する手段としては、接着剤、金具又は樹脂製の固定具を用いるなど、縫い付け以外の手段を用いてもよい。
【００３９】
また、本発明の上衣は、上記実施形態の上衣に限定されるものではなく、裏地を有する前身頃又は後身頃同士を縫い合わせる縫い代部分にテープ状基材を縫い付けて固定するようにした上衣において具体化して実施したり、上下方向又は左右方向にのみストレッチ性（伸縮性）を有する素材からなる上衣において具体化して実施したり、ストレッチ性を有さない素材からなる上衣において具体化して実施してもよい。
【００４０】
さらに、本発明は、水着以外の、フィットネス用ウエア、ダンス用ウエア、ランニング用ウエア、ゴルフウエアなどにおいて具体化して実施してもよい。
【００４１】
その他、本発明は、その趣旨を逸脱しない範囲で、各部の構造、材質、形状、寸法、角度、設置位置、大きさ、数などが異なる上衣において具体化して実施してもよい。
【産業上の利用可能性】
【００４２】
本発明は、上衣と下衣の位置がずれないようにしたり、上衣の裾が捲れ上がることを防ぐために、下衣と連結するための連結具を備えた水着、フィットネス用ウエア、ダンス用ウエアなどの上衣として、産業上好適に利用可能である。
【符号の説明】
【００４３】
１    テープ状基材
１ａ  連結具
１ｂ  連結具
２    テープ状基材
２ａ  連結具
２ｂ  連結具
１０  上衣
１１  後身頃を構成する布
１２  前見頃を構成する布
１３  前見頃を構成する布
２０  下衣
Ｓ１  ２本針オーバーロック縫い（上下方向に伸縮できる縫い方）
Ｓ２  ２本針オーバーロック縫い（左右方向に伸縮できる縫い方）
Ｓ３  本縫い
Ｓ４  平２本針縫い（左右方向に伸縮できる縫い方）
【図１】
0006583910.tif 000002
【図２】
0006583910.tif 000003
【図３】
0006583910.tif 000004
【図４】
0006583910.tif 000005
【図５】
0006583910.tif 000006